【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
上下カバーをパッキンを介在させて嵌合、連結されたケースを有する電子機器であって、
前記いずれか一方のカバーには、上下カバーの嵌合方向に立ち上がり壁を備えたパッキン装着段部が形成されるとともに、
他方のカバーには、前記立ち上がり壁に対峙するパッキン押圧壁が設けられ、
かつ、前記パッキンは、前記パッキン装着段部に上下方向移動可能に巻装されて、パッキン押圧壁により所定の撓みが付与されるとともに、
立ち上がり壁の高さが、ケースの変形時における上下カバー間の発生隙間より長寸の余剰高さを有して形成される電子機器。
【請求項２】
前記パッキンが断面Ｄ字状のＤリングであり、
かつ、前記パッキン装着段部の立ち上がり壁とパッキン押圧壁との間隙は、上下カバーの嵌合脱離方向に向けて漸次小寸となる請求項１記載の電子機器。
【請求項３】
前記パッキンの円弧部半径が、推奨潰し量と、ケース変形時における有効接触幅の確保を基準として決定される請求項１または２記載の電子機器。
【請求項４】
前記パッキン装着段部のパッキン下部支承面には、パッキンとの当接部を包囲する溝が形成される請求項１、２または３記載の電子機器。
【請求項５】
前記溝に連通し、ケース外に開口する水切り溝を備えた請求項４記載の電子機器。
【請求項６】
前記立ち上がり壁は、前記上下カバーの嵌合方向に平行に形成されていることを特徴とする請求項１から５のいずれかに記載の電子機器。
【請求項７】
上下カバーをパッキンを介在させて嵌合、連結されたケースを有する携帯情報端末装置であって、
前記いずれか一方のカバーには、上下カバーの嵌合方向に平行な立ち上がり壁を備えたパッキン装着段部が形成されるとともに、
他方のカバーには、前記立ち上がり壁に対峙するパッキン押圧壁が設けられ、
かつ、前記パッキンは、前記パッキン装着段部に上下方向移動可能に巻装されて、パッキン押圧壁により所定の撓みが付与されるとともに、
立ち上がり壁の高さが、ケースの変形時における上下カバー間の発生隙間より長寸の余剰高さを有して形成される携帯情報端末装置。
【請求項８】
前記パッキンが断面Ｄ字状のＤリングであり、
かつ、前記パッキン装着段部の立ち上がり壁とパッキン押圧壁との間隙は、上下カバーの嵌合脱離方向に向けて漸次小寸となる請求項７記載の携帯情報端末装置。
【請求項９】
前記パッキンの円弧部半径が、推奨潰し量と、ケース変形時における有効接触幅の確保を基準として決定される請求項７または８記載の携帯情報端末装置。
【請求項１０】
前記パッキン装着段部のパッキン下部支承面には、パッキンとの当接部を包囲する溝が形成される請求項７、８または９記載の携帯情報端末装置。
【請求項１１】
前記溝に連通し、ケース外に開口する水切り溝を備えた請求項１０記載の携帯情報端末装置。
【手続補正２】
【補正対象書類名】明細書
【補正対象項目名】発明の名称
【補正方法】変更
【補正の内容】
【発明の名称】電子機器および携帯情報端末装置
【手続補正３】
【補正対象書類名】明細書
【補正対象項目名】０００１
【補正方法】変更
【補正の内容】
【０００１】
本発明は、電子機器および携帯情報端末装置に関するものである。
【手続補正４】
【補正対象書類名】明細書
【補正対象項目名】０００２
【補正方法】変更
【補正の内容】
【０００２】
上下カバーの連結部にパッキンを介在させてケース内部の防水性を確保するようにした電子機器あるいは携帯情報端末装置としては、特許文献１に記載のものが知られている。この従来例において、上下カバーには対向して段部が形成され、段部に挟まれるようにしてパッキンが装着される。
【特許文献１】実用新案登録第２５２３８８０号公報
【手続補正５】
【補正対象書類名】明細書
【補正対象項目名】０００４
【補正方法】変更
【補正の内容】
【０００４】
本発明は、以上の欠点を解消すべくなされたものであって、構造が簡単で、かつ、ケース全体のひずみ等が発生しても必要な防水性能を維持することのできる電子機器および携帯情報端末装置の提供を目的とする。
【手続補正６】
【補正対象書類名】明細書
【補正対象項目名】０００５
【補正方法】変更
【補正の内容】
【０００５】
電子機器あるいは携帯情報端末装置のケースは上下カバー１、２をパッキン３を介して連結して形成され、上下カバー１、２のいずれか一方にはパッキン装着段部５が、他方にはパッキン押圧壁６が形成される。パッキン３は、上記パッキン装着段部５の立ち上がり壁４に巻装され、パッキン押圧壁６により所定の潰し量が付与されてシーリング性能を確保する。
【手続補正７】
【補正対象書類名】明細書
【補正対象項目名】００２２
【補正方法】変更
【補正の内容】
【００２２】
この溝７は、水切り溝８を経由して接合面外部に開通しており、該溝７内の水は速やかにケース外部に排出される。
（付記１）上下カバーをパッキンを介在させて嵌合、連結されたケースを有する電子機器であって、
前記いずれか一方のカバーには、上下カバーの嵌合方向に立ち上がり壁を備えたパッキン装着段部が形成されるとともに、
他方のカバーには、前記立ち上がり壁に対峙するパッキン押圧壁が設けられ、
かつ、前記パッキンは、前記パッキン装着段部に上下方向移動可能に巻装されて、パッキン押圧壁により所定の撓みが付与されるとともに、
立ち上がり壁の高さが、ケースの変形時における上下カバー間の発生隙間より長寸の余剰高さを有して形成される電子機器。
（付記２）前記パッキンが断面Ｄ字状のＤリングであり、
かつ、前記パッキン装着段部の立ち上がり壁とパッキン押圧壁との間隙は、上下カバーの嵌合脱離方向に向けて漸次小寸となる付記１記載の電子機器。
（付記３）前記パッキンの円弧部半径が、推奨潰し量と、ケース変形時における有効接触幅の確保を基準として決定される付記１または２記載の電子機器。
（付記４）前記パッキン装着段部のパッキン下部支承面には、パッキンとの当接部を包囲する溝が形成される付記１、２または３記載の電子機器。
（付記５）前記溝に連通し、ケース外に開口する水切り溝を備えた付記４記載の電子機器。
（付記６）前記立ち上がり壁は、前記上下カバーの嵌合方向に平行に形成されていることを特徴とする付記１から５のいずれかに記載の電子機器。
（付記７）上下カバーをパッキンを介在させて嵌合、連結されたケースを有する携帯情報端末装置であって、
前記いずれか一方のカバーには、上下カバーの嵌合方向に平行な立ち上がり壁を備えたパッキン装着段部が形成されるとともに、
他方のカバーには、前記立ち上がり壁に対峙するパッキン押圧壁が設けられ、
かつ、前記パッキンは、前記パッキン装着段部に上下方向移動可能に巻装されて、パッキン押圧壁により所定の撓みが付与されるとともに、
立ち上がり壁の高さが、ケースの変形時における上下カバー間の発生隙間より長寸の余剰高さを有して形成される携帯情報端末装置。
（付記８）前記パッキンが断面Ｄ字状のＤリングであり、
かつ、前記パッキン装着段部の立ち上がり壁とパッキン押圧壁との間隙は、上下カバーの嵌合脱離方向に向けて漸次小寸となる付記７記載の携帯情報端末装置。
（付記９）前記パッキンの円弧部半径が、推奨潰し量と、ケース変形時における有効接触幅の確保を基準として決定される付記７または８記載の携帯情報端末装置。
（付記１０）前記パッキン装着段部のパッキン下部支承面には、パッキンとの当接部を包囲する溝が形成される付記７、８または９記載の携帯情報端末装置。
（付記１１）前記溝に連通し、ケース外に開口する水切り溝を備えた付記１０記載の携帯情報端末装置。